(57)【要約】【課題】荷物毎の輸送途中での荷積み、荷下しの把握・管理を容易にするとともに、荷物毎の実輸送量及び実燃料消費量をリアルタイムに計測可能な荷物運送車両を提供する。【解決手段】個々の荷物には、それぞれＩＣタグ１が取り付けられており、荷積み、荷下ろし時点で、そのＩＣタグ１に対し、車両に搭載されたＩＣタグ・ライター/リーダー２で書き込み/読み取りを行い、荷物毎の輸送途中での荷積み、荷下ろしの時刻と輸送距離の把握を行う。重量の大きいものは車両に装備した積載重量計３にて荷物毎の重量を計測し、軽量のものは手持ち小型重量計４で荷物毎の重量を精度よく計測する。そして、車両に装備されているデジタルタコメータ５により、荷物毎の輸送距離を求め、これと荷物毎の重量の計測結果より、処理装置７が荷物毎の輸送量(＝荷物毎の重量×荷物毎の輸送距離)を自動算出する。【選択図】  図１
2007334725.tif 000002
【特許請求の範囲】
【請求項１】
ＩＣタグ・ライター／リーダー、重量計、タコメータ、燃料計、およびこれらから得られるデータから、積載した荷物毎の、輸送量（＝荷物荷重×輸送距離）と燃料消費量を自動計測する処理装置を搭載したことを特徴とする荷物運送車両。
【請求項２】
自動計測した前記荷物毎の輸送量と燃料消費量を、輸送管理者又は荷主に送信する送信装置を搭載したことを特徴とする請求項１に記載の荷物運送車両。
【請求項３】
請求項１又は請求項２に記載の荷物運送車両であって、前記処理装置は、位置ｄｏから位置ｄｄまでの輸送区間の燃料の減少量Ｑ１を、下記の（１）式によって求めることを特徴とする荷物運送車両。ただし、Ｑは燃料計の値、Ｄは位置ｄｏからの距離、ｄ１〜ｄｎは給油位置の位置ｄｏからの距離、Δはごく短い距離である。
【数１】
2007334725.tif 000005
【発明の詳細な説明】
【技術分野】
【０００１】
本発明は、荷物運送車両に関するものである。
【背景技術】
【０００２】
従来、荷物運送車両においては、出発地から目的地までの走行距離、燃料消費量等が把握され、燃費等の管理が行われていたが、出発地から目的地までの間で、荷物の積み下しが頻繁に行われる場合、荷物毎の運送距離、燃料消費量等は把握されていないのが実情であった。
【発明の開示】
【発明が解決しようとする課題】
【０００３】
しかしながら、改正省エネ法の施行により、2006年４月から、200台以上の輸送能力を有するなどの「特定輸送業者」及び年間3000万トンキロ(t・km)以上の貨物輸送を行っている「特定荷主」は、年間の輸送量を行政庁に報告する義務が課せられるようになった。また、特定輸送業者でなくても、荷主からの輸送量の頻繁な問い合わせに対応したり、行政庁への報告のためのデータ収集に膨大な手間が必要となり、利益を圧迫する結果を招いていた。
【０００４】
特に、異なった荷主の荷物を混載して輸送したり、輸送途中での荷積み、荷下しを行う場合、荷主毎に按分処理したり、積載率を推定したりして、輸送量及び燃料消費量を大まかに把握することすら大変であり、ましてや、車両毎、荷物毎の輸送量及び燃料消費量を正確に把握することは不可能であった。更に、それぞれの荷主毎に、輸送量の報告を行うには大変煩雑な作業が必要となり、多大な管理工数が掛かっていた。
【０００５】
このように、車両毎、荷物毎の輸送量及び燃料消費量を容易に、かつ正確に把握することができないため、運輸部門における地球温暖化対策等の改善がなかなか進展しない原因の一つとなっていた。
【０００６】
本発明はこのような事情に鑑みてなされたものであり、荷物毎の輸送途中での荷積み、荷下しの把握・管理を容易にするとともに、荷物毎の実輸送量及び実燃料消費量をリアルタイムに計測可能な荷物運送車両を提供することを課題とする。
【課題を解決するための手段】
【０００７】
前記課題を解決するための第１の手段は、ＩＣタグ・ライター／リーダー、重量計、タコメータ、燃料計、およびこれらから得られるデータから、積載した荷物毎の、輸送量（＝荷物荷重×輸送距離）と燃料消費量を自動計測する処理装置を搭載したことを特徴とする荷物運送車両である。
【０００８】
前記課題を解決するための第２の手段は、前記第１の手段であって、自動計測した前記荷物毎の輸送量と燃料消費量を、輸送管理者又は荷主に送信する送信装置を搭載したことを特徴とするものである。
【０００９】
前記課題を解決するための第３の手段は前記第１の手段又は第２の手段であって、前記処理装置は、位置ｄｏから位置ｄｄまでの輸送区間の燃料の減少量Ｑ１を、下記の（１）式によって求めることを特徴とするものである。ただし、Ｑは燃料計の値、Ｄは位置ｄｏからの距離、ｄ１〜ｄｎは給油位置の位置ｄｏからの距離、Δはごく短い距離である。
【数１】
2007334725.tif 000003
【発明の効果】
【００１０】
本発明によれば、荷物毎の輸送途中での荷積み、荷下しの把握・管理を容易にするとともに、荷物毎の実輸送量及び実燃料消費量をリアルタイムに計測可能な荷物運送車両を提供することができる。又、本発明を使用することにより、輸送量等の把握や管理などに要する工数が大幅に低減できる。さらに、荷物毎の輸送量の結果を必要としている荷主に対して、即時またはリアルタイムに、報告が可能となり、サービスが飛躍的に向上する。又、車両毎の輸送効率や空車を含めた積載率の実際の輸送状況が容易に把握・管理できるため、輸送効率向上など、具体的な改善施策が立て易くなるとともに、その改善施策に対する実際の効果が容易に確認できるため、改善が促進できる。結果として、本発明は地球温暖化対策に資することになる。
【発明を実施するための最良の形態】
【００１１】
以下、本発明の実施の形態の例を、図を用いて説明する。図１は、本発明の実施の形態である荷物運送車両と、それに搭載される装置、付属装置の例を示す図である。個々の荷物には、それぞれＩＣタグ１が取り付けられており、荷積み、荷下ろし時点で、そのＩＣタグ１に対し、車両に搭載されたＩＣタグ・ライター/リーダー２で書き込み/読み取りを行い、荷物毎の輸送途中での荷積み、荷下ろしの時刻と輸送距離の把握を行う。
【００１２】
重量の大きいものは車両に装備した積載重量計３にて荷物毎の重量を計測し、軽量のものは手持ち小型重量計４で荷物毎の重量を精度よく計測する。そして、車両に装備されているデジタルタコメータ５により、荷物毎の輸送距離を求め、これと荷物毎の重量の計測結果より、処理装置７が荷物毎の輸送量(＝荷物毎の重量×荷物毎の輸送距離)を自動算出する。
【００１３】
さらに、燃料計６で測定した燃料の量に基づいて、荷積み、荷下ろし区間での全体の燃料消費量を把握し、処理装置７により、その荷物の輸送区間での積載荷物毎に重量按分処理して、その荷物の輸送に要した燃料消費量を算出する。
【００１４】
これら荷物輸送量、輸送に要した消費燃料などのデータを車両に搭載した送信機８により、輸送管理者９及び荷主１０に即時に送信し、報告する。
【００１５】
燃料の減少量Ｑ１は、燃料計６のデータと給油点位置、走行距離データから、以下の（１）式により求める。
【数２】
2007334725.tif 000004
ただし、Ｑは燃料計の値、Ｄは位置ｄｏからの距離、ｄ１〜ｄｎは給油位置の位置ｄｏからの距離、Δはごく短い距離である。ここで、給油点から±Δの距離にある区間を計算から除外しているのは、給油点においてｄＱ／ｄＤの値が∞近くになり、誤差の要因となるのを除外するためである。
【００１６】
実際の走行の例を以下に示す。
【００１７】
（例１）
図２に、第１の輸送状況の例を示す。荷物はＡ、Ｂの混載と想定し、荷物Ａは輸送地点ａｓからａｅに輸送し、荷物Ｂは途中ｂｓ地点で荷積みを行い、途中の輸送地点ｂｅで荷下ろしをする。地点ｂｓと地点ｂｅとの中間地点ｃにおいて、給油を実施する。あらかじめ、運転手を含む空車状態での車両重量Ｖｔを計測しておく。
【００１８】
荷物Ａの重量を、重量物であれば車両に搭載した積載重量計３により、また、軽量物であれば手持ち小型重量計４で計測し、その総重量をＡｔとする。ＩＣタグ・ライター／リーダー２により、必要な情報である入力日時、車両番号、運転手名、荷主名、荷主コード番号、荷物の区分、荷主連絡先、荷物番号、輸送先、輸送納期そして荷物Ａの重量ＡｔをＩＣタグに入力し、そのＩＣタグを該当する荷物に貼りつける。
【００１９】
ａｓ地点から荷物Ａを積載し、ｂｓ地点で荷物Ｂを荷積みする。その際、（１）式により計測したａｓ地点からｂｓ地点までに要した消費燃料量Ｑ１を計算する。そして、荷物Ａと同じように、荷物Ｂの重量Ｂｔを計測し、ＩＣタグに必要な情報を入力する。
【００２０】
ｂｓ地点から荷物Ａ及びＢを積載して、ｃ地点において、給油を行い、ｂｅ地点で荷物Ｂの荷下ろしを行う。その際に、荷物Ｂを下ろした日時、（１）式により計測したｂｓ地点からｃ地点までに要した消費燃料及びｃ地点からｂｅ地点までに要した消費燃料量Ｑ２、輸送距離ＤｂをＩＣタグに入力する。車両に搭載した送信機８により、荷物Ｂに関する以下の輸送データを、輸送管理者及び荷物Ｂの荷主に送信する。
【００２１】
(1)荷物Ｂの荷積み日時及び荷下ろし日時
(2)荷物Ｂの輸送量＝Ｂｔ×Ｄｂ
(3)荷物Ｂの輸送に要した燃料＝Ｑ２×Ｂｔ／（Ａｔ＋Ｂｔ）
(4)輸送に使用した車両の車種
【００２２】
さらに、荷物Ａを積載して目的地ａｅまで輸送する。ａｅ地点で、荷物Ａを荷下ろした日時、（１）式により計測したｂｅ地点からａｅ地点までに要した消費燃料量Ｑ３、そして輸送距離ＤａをＩＣタグに入力する。車両に搭載した送信機８により、荷物Ａに関する以下の輸送データを、輸送管理者及び荷物Ａの荷主に送信する。
【００２３】
(1)荷物Ａの荷積み日時及び荷下ろし日時
(2)荷物Ａの輸送量＝Ａｔ×Ｄａ
(3)荷物Ａの輸送に要した燃料＝Ｑ１＋Ｑ２×Ａｔ／（Ａｔ＋Ｂｔ）＋Ｑ３
(4)輸送に使用した車両の車種
【００２４】
（例２）
例１のように、輸送地点荷物を運送した後、ａｅからａｓに空車の状態で帰るときの輸送状況を図３に示す。空車状態での走行距離Ｄｖ、空車状態での燃料消費量Ｑｖを計測し、例１と合わせて、往復の際の輸送効率を評価した。
・積載効率＝（Ａｔ×Ｄａ＋Ｂｔ×Ｄｂ）／｛Ｗ×（Ｄａ＋Ｄｖ）｝
但し、Ｗは積載することのできる最大積載重量を示す。
【００２５】
・燃料に対する輸送効率＝（Ａｔ×Ｄａ＋Ｂｔ×Ｄｂ）／（Ｑ１＋Ｑ２＋Ｑ３＋Ｑｖ）
・荷物以外の車両重量Ｖｔにより消費された燃料
＝（Ｑ１十Ｑ３）×Ｖｔ／（Ａｔ十Ｖｔ）十Ｑ２×Ｖｔ／（Ａｔ十Ｂｔ十Ｖｔ）十Ｑｖ
【００２６】
これらの評価結果より、輸送効率が把握でき、車両自体の重量Ｖｔを軽量化したり、積載効率を高めたり、また、空車の状況を極力なくすなど、輸送量に関する燃料効率を高めるための具体的改善策や工夫ができる。
【図面の簡単な説明】
【００２７】
【図１】本発明の実施の形態である荷物運送車両と、それに搭載される装置、付属装置の例を示す図である。
【図２】第１の輸送状況の例を示す図である。
【図３】第２の輸送状況の例を示す図である。
【符号の説明】
【００２８】
１…ＩＣタグ、２…ＩＣタグ・ライター/リーダー、３…積載重量計、４…手持ち小型重量計、５…デジタルタコメータ、６…燃料計、７…処理装置、８…送信機、９…輸送管理者、１０…荷主
【図１】
2007334725.tif 000006
【図２】
2007334725.tif 000007
【図３】
2007334725.tif 000008